(57)【要約】【課題】  本発明は、理容用及び美容用鋏に関する発明であり、後方から前髪を切る際に不自然な腕の状態で切る必要がなく、手首の疲れが起こらない屈曲可能な柄を備えた理容用鋏を提供することを目的とするものである。【解決手段】  本発明は、上軸孔４ｃを穿設するとともに凹部４ｄを形成した連結部４ｂの先端に刃４ａを備えた上刃部４に、前記凹部４ｄに嵌着する凸部５ｄを形成するとともに後部に指掛け５ｃを有する上指環５ｂを連設した上指環部５を回動可能に連結した上刃２と、凹部６ｄを形成した柄６ｂを備え下軸孔６ｃを穿設した刃６ａからなる下刃部６に凸部７ｃを形成した下指環７ａからなる下指環部７を回動可能に連結した下刃３とからなり、前記上下軸孔４ｃ、６ｃを軸８により回動可能に連結したことを特徴とする屈曲可能な柄を備えた理容用鋏１である。【選択図】  図１
2007185404.tif 000002
【特許請求の範囲】
【請求項１】
上軸孔を穿設するとともに凹部を形成した連結部の先端に刃を備えた上刃部に、前記凹部に嵌着する凸部を形成するとともに後部に指掛けを有する上指環を連設した上指環部を回動可能に連結した上刃２と、凹部を形成した柄を備え下軸孔を穿設した刃からなる下刃部に凸部を形成した下指環からなる下指環部を回動可能に連結した下刃とからなり、前記上下軸孔を軸により回動可能に連結したことを特徴とする屈曲可能な柄を備えた理容用鋏。
【請求項２】
連結部に上制御凸部を形成した上刃部と、刃上の柄に最も近い部分に下制御突起を備えた下刃部とからなることを特徴とする請求項１に記載の屈曲可能な柄を備えた理容用鋏。
【発明の詳細な説明】
【技術分野】
【０００１】
本発明は、理容用及び美容用鋏の改良に関する発明である。
【背景技術】
【０００２】
従来、理容室及び美容室では柄から刃までが真っ直ぐな鋏又は緩やかにカーブした鋏が使用されていた。
【０００３】
しかしながら、従来の理容用鋏では、前髪などを切る場合に後方から前方に向かって大きく手をまわし切る角度に合わせるように手首などをひねらせたりする必要があり、とても疲れるものであった。
【０００４】
また、正面にまわって前髪を切る場合には、切り具合を確認するために鏡を見る際に何度も振り返らなければならずスムーズな作業ができなかった。
【特許文献１】特開２００３−２５１０８６号公報
【発明の開示】
【発明が解決しようとする課題】
【０００５】
そこで、本発明は、従来通り、後方から前髪を切る際に不自然な腕の状態で切る必要がなく、手首の疲れが起こらない屈曲可能な柄を備えた理容用鋏を提供することを目的とするものである。
【課題を解決するための手段】
【０００６】
本発明は、上記の課題を解決するために、上軸孔４ｃを穿設するとともに凹部４ｄを形成した連結部４ｂの先端に刃４ａを備えた上刃部４に、前記凹部４ｄに嵌着する凸部５ｄを形成するとともに後部に指掛け５ｃを有する上指環５ｂを連設した上指環部５を回動可能に連結した上刃２と、凹部６ｄを形成した柄６ｂを備え下軸孔６ｃを穿設した刃６ａからなる下刃部６に凸部７ｃを形成した下指環７ａからなる下指環部７を回動可能に連結した下刃３とからなり、前記上下軸孔４ｃ、６ｃを軸８により回動可能に連結したことを特徴とする屈曲可能な柄を備えた理容用鋏１の構成とした。
【発明の効果】
【０００７】
本発明の屈曲可能な柄を備えた理容用鋏は、柄の部分が屈曲するため従来の鋏を使用した場合のように、後方から前髪を切る際に不自然に手首を曲げる必要がなく楽に作業をすることができる。
【０００８】
また、２つの柄の屈曲箇所が異なっているため、使用する人によって微妙な調節が可能であり、また作業中も指先の調節だけで髪を切る角度を容易に変えることができる。
【発明を実施するための最良の形態】
【０００９】
無理な体勢で髪を切る際の手首等の負担を抑え、後方からでも容易に前髪を切ることができる鋏という目的を、理容用鋏の柄に屈曲構造を備えることによって実現した。
【実施例１】
【００１０】
図１は本発明である屈曲可能な柄を備えた理容用鋏の正面図、図２は屈曲可能な柄を備えた理容用鋏の分解図、図３は屈曲可能な柄を備えた理容用鋏の柄を屈曲させた状態を示した斜視図である。
【００１１】
図１及び図２に示すように、本発明である屈曲可能な柄を備えた理容用鋏１は、上刃部４及び上刃部４と屈曲可能に連結された上指環部からなる上刃２と、前記上刃部４と回動可能に連結される下刃部６及び下刃部６と屈曲可能に連結された下指環部７とからなる。
【００１２】
前記上刃２の先端部を構成する上刃部４は、刃４ａと刃４ａの後部に連設し他の部材との連結をするための連結部４ｂとからなり、連結部４ｂの中央には上軸孔４ｃが穿設されている。
【００１３】
また、図２に示すように、連結部４ｂの後部は凹部４ｄが形成されており凹部４ｄを側面から一直線に貫通するように連結孔４ｅが穿設されている。
【００１４】
上刃部４の後端に接続される上指環部５は先端に凸部５ｄを形成した柄５ａと柄５ａの後部に連接した上指環５ｂからなり、上指環５ｂの更に後部には指掛け５ｃが突出して設けられている。
【００１５】
柄５ａの先端に形成された凸部５ｄには側面より連結孔５ｅが凸部５ｄを貫通するように穿設されており、この連結孔５ｅの径は前記上刃部４の連結孔４ｅの径と同じである。また凸部５ｄの幅と前記上刃部４の凹部４ｄの溝の幅も同じであり、即ち凸部５ｄを凹部４ｄに嵌め込んで連結する。
【００１６】
図２に示すように、上指環５ｂの外面には指環凸部５ｆが形成されており、後に説明する下指環７ａの指環凸部７ｅに接触しストッパーの役割をしている。
【００１７】
前記下刃３の先端部を構成する下刃部６は、刃６ａと刃６ａの後部に連設した柄６ｂとからなり、刃６ａは前記上刃部４の刃４ａから連結部４ｂまでの大きさと同形同大である。刃６ａには、図１に示すように上刃部４と下刃部６をぴったりと重ねた時に上軸孔４ｃと同じ位置になる場所に下軸孔６ｃが穿設されている。
【００１８】
柄６ｂの後端部は凹部６ｄが形成されており、凹部６ｄを側面から一直線に貫通するように連結孔６ｅが穿設されている。
【００１９】
下刃部６の後端に接続される下指環部７は内部が中空７ｂの下指環７ａからなり、下指環７ａの外面には前述の凸部７ｃが形成されている。
【００２０】
また、図２に示すように下指環７ａの外面には凸部７ｃが形成されている。凸部７ｃには側面より連結孔７ｄが穿設されており、この連結孔７ｄの径は前記下刃部６の凹部６ｄに穿設された連結孔６ｅの径と同じである。また、凸部７ｃの幅と前記下刃部６の凹部６ｄの溝の幅も同じであり、即ち凸部７ｃを凹部６ｄに嵌め込んで連結する。
【００２１】
上刃部４と上指環部５は凹部４ｄに凸部５ｄを嵌め込み、互いの連結孔４ｅ、５ｅに連結部材９を挿通し留め部材９ａにより留めることで回動可能に連結され上刃２を形成する。
【００２２】
下刃部６と下指環部７は凹部６ｄに凸部７ｃを嵌め込み、互いの連結孔６ｅ、７ｄに連結部材９を挿通し留め部材９ａにより留めることで回動可能に連結され下刃３を形成する。
【００２３】
上刃２及び下刃３は上軸孔４ｃと下軸孔６ｃを重ね軸８を挿通して軸止め８ａで留めることで回動可能に連結され屈曲可能な柄を備えた理容用鋏１を形成する。
【００２４】
図３に示すように、屈曲可能な柄を備えた理容用鋏１の上下指環部５、７を上方向に屈曲させ、通常の理容用鋏のように下指環７ａには親指を入れ、上指環５ｂには薬指を入れ、指掛け５ｃには小指を掛けて使用する。
【００２５】
図３のように上下指環部５、７を屈曲させた状態では、上下刃部４、６は鋏を持つ人間側に向かった状態となっているため、これまでのような後方から前髪を切る場合の腕又は手首を曲げが必要なく、楽な姿勢で切ることができる。
【００２６】
鋏を持つ際に、鋏をもっている人間に対して上刃２が手前になり、下刃３が上刃２の背面側になっているため、下刃３の下指環７ａを操作する親指の調節により、上刃部４と下刃部６の向きを自由に変えることができる。
【００２７】
即ち、親指の入っている下指環７ａを薬指の入っている上指環５ｂよりも鋏をもっている人間より遠い位置へ押すことにより下刃部６が上刃部４を背面から押し手前に向かって移動し、逆に下指環７ａを手前に引くことにより下刃部６が上刃部４を引っ張るため鋏を持つ人間から離れる。
【００２８】
このように親指の位置を移動させることによって上下刃部４、６を簡単に調節することができるため、髪を切る作業を止めて調節する必要がなく髪を切ることができる。
【実施例２】
【００２９】
図４は本発明である屈曲可能な柄を備えた理容用鋏の第２実施例の正面図である。図４に示すように、本発明である屈曲可能な柄を備えた理容用鋏１ａは、前記実施例１で説明した屈曲可能な柄を備えた理容用鋏１とほぼ同じ形状をしている。
【００３０】
即ち、本発明である屈曲可能な柄を備えた理容用鋏１ａは、上刃部４及び上刃部４と屈曲可能に連結された上指環部からなる上刃２と、前記上刃部４と回動可能に連結される下刃部６及び下刃部６と屈曲可能に連結された下指環部７とからなり、上刃部４の連結部４ｂに上制御凸部４ｆを備え、下刃部６を構成する刃６ａ上のうち柄６ｂに最も近い所に下制御突起６ｆを備えている。
【００３１】
図４に示すように、屈曲可能な柄を備えた理容用鋏１ａを閉じた状態では、上制御凸部４ｆが下制御突起６ｆにぶつかるため上刃２と下刃３は重なった状態で止まり、上指環部５と下指環部７が交差することを防ぐことができる。
【図面の簡単な説明】
【００３２】
【図１】本発明である屈曲可能な柄を備えた理容用鋏の正面図である。
【図２】本発明である屈曲可能な柄を備えた理容用鋏の分解図である。
【図３】本発明である屈曲可能な柄を備えた理容用鋏の柄を屈曲させた状態を示した斜視図である。
【図４】本発明である屈曲可能な柄を備えた理容用鋏の第２実施例の正面図である。
【符号の説明】
【００３３】
１      屈曲可能な柄を備えた理容用鋏
１ａ    屈曲可能な柄を備えた理容用鋏
２      上刃
３      下刃
４      上刃部
４ａ    刃
４ｂ    連結部
４ｃ    上軸孔
４ｄ    凹部
４ｅ    連結孔
４ｆ    上制御凸部
５      上指環部
５ａ    柄
５ｂ    上指環
５ｃ    指掛け
５ｄ    凸部
５ｅ    連結孔
５ｆ    指環凸部
６      下刃部
６ａ    刃
６ｂ    柄
６ｃ    下軸孔
６ｄ    凹部
６ｅ    連結孔
６ｆ    下制御突起
７      下指環部
７ａ    下指環
７ｂ    中空
７ｃ    凸部
７ｄ    連結孔
７ｅ    指環凸部
８      軸
８ａ    軸止め
９      連結部材
９ａ    留め部材
【図１】
2007185404.tif 000003
【図２】
2007185404.tif 000004
【図３】
2007185404.tif 000005
【図４】
2007185404.tif 000006